(57)【特許請求の範囲】
【請求項１】
ヘア・クリッパー装置であって：
ハウジング及び切断要素を有するヘア・クリッパー；及び
櫛；
を有し、前記櫛は：
前記ヘア・クリッパーの切断運動方向において前記ヘア・クリッパーの前記切断要素の前方に配置されるように構成された櫛部分であって、カットされるべき毛を前記切断要素へ案内する、スロットが間に形成された複数の櫛歯を有する櫛部分を有し、
使用時に前記ヘア・クリッパーの前記ハウジングに面する前記櫛歯の後方エッジが、使用時に前記切断要素に近接している第１後方櫛面と、使用時に前記切断要素から遠い平坦な第２後方櫛面とを規定し、前記第１後方櫛面と前記ハウジングとの間で第１隙間角度が形成され、前記第２後方櫛面と前記ハウジングとの間で第２隙間角度が形成され、
前記櫛部分は、前記櫛が前記ヘア・クリッパーに取り付けられた場合に、前記櫛歯と前記ヘア・クリッパーのハウジングとの間の隙間が、前記切断要素から距離が遠ざかるにつれて増加し、前記ハウジングと前記櫛部分との間に、毛屑が流れ込むことが可能な実質的に楔状の毛屑受け入れ空間を形成するように構成され、
前記櫛は、所定のカット長範囲内で前記ヘア・クリッパーのカット長を調整する可調整櫛であり、前記第１後方櫛面の長さは、前記ヘア・クリッパーの前記カット長範囲に等しい又はそれより大きく、及び
前記櫛は、前記櫛の長さ調整方向を規定する調整機能部を有し、前記長さ調整方向は前記第１後方櫛面に実質的に平行であり、そのため、使用時における前記櫛歯と前記切断要素との間のギャップは前記カット長範囲内の全てのカット長に関して実質的に一定である、ヘア・クリッパー装置。
【請求項２】
前記第１隙間角度が約１０ないし３０度の範囲内にある、請求項１に記載のヘア・クリッパー装置。
【請求項３】
前記第２隙間角度は前記第１隙間角度に等しい、請求項１又は２に記載のヘア・クリッパー装置。
【請求項４】
前記第２隙間角度は前記第１隙間角度より大きい、請求項１又は２に記載のヘア・クリッパー装置。
【請求項５】
前記第２隙間角度は、約３０度ないし約５０度の範囲内にある、請求項１又は４に記載のヘア・クリッパー装置。
【請求項６】
前記ギャップは、前記櫛歯と前記ハウジングとの間におけるカット・ヘアの流れを可能にし、約３．５ｍｍの最小サイズを有する、請求項１−５のうちの何れか１項に記載のヘア・クリッパー装置。
【請求項７】
ヘア・クリッパー装置であって：
ハウジング及び切断要素を有するヘア・クリッパー；及び
櫛；
を有し、前記櫛は：
前記ヘア・クリッパーの切断運動方向において前記ヘア・クリッパーの切断要素の前方に配置されるように構成された櫛部分であって、カットされるべき毛を前記切断要素へ案内する、スロットが間に形成された複数の櫛歯を有する櫛部分を有し、
前記櫛歯のうちの２つ以上は、前記切断運動方向において個々の櫛歯から遠ざかるように概して前方に延びる拡張部を有し
接続バーが前記２つ以上の櫛歯を個々の拡張部内でともに接続し、そのため、使用時に前記接続バーは、前記ヘア・クリッパーの前記ハウジングから、前記複数の櫛歯より大きな距離だけ隔てられ、及び
前記拡張部は、前記切断運動方向において、櫛歯の残りの部分と比較して増加した深さを有する櫛歯の部分である、ヘア・クリッパー装置。
【請求項８】
前記拡張部は、前記櫛歯の本体部分に対してある角度で延びる個々の櫛歯の部分である、請求項７に記載のヘア・クリッパー装置。
【請求項９】
前記櫛歯の前記拡張部は、使用時に前記ヘア・クリッパーの前記切断要素から遠くにあるように構成されている、請求項７又は８に記載のヘア・クリッパー装置。
【請求項１０】
前記接続バーは、前記櫛歯の深度より大きな距離だけ、前記櫛歯の後方エッジから隔てられ、そのため、前記櫛歯の間に形成される前記スロットは，使用時に前記切断要素から遠い前記スロットの端部で開放されている、請求項７−９のうちの何れか１項に記載のヘア・クリッパー装置。
【発明の詳細な説明】
【技術分野】
【０００１】
本願はヘア・クリッパー用の櫛、及び櫛を有するヘア・クリッパー装置に関連する。
【背景技術】
【０００２】
ヘア・クリッパーは毛を切るために使用される。ヘア・クリッパーの切断要素は通常一対の櫛状刃を有し、一対の櫛状刃は、互いに前後に速やかにスライドし、櫛状刃の歯の間に位置する毛をハサミのような動きで切断する。クリッパーは、１ストロークで多数の毛が切断されることを可能にする。
【０００３】
毛を切断要素へ案内するために、ヘア・クリッパーにはしばしば櫛が備えられ、櫛は、ヘア・クリッパーが皮膚の上を動かされる際に毛を持ち上げて案内する。櫛はまた、皮膚に接触するスキン・ガイド部を有することも可能であり、スキン・ガイド部は、カット後に残る毛の長さを定めるように、皮膚と切断要素との間に所定の隙間を設ける。
【０００４】
ヘア・クリッパーのそのような櫛に伴う問題は、毛をほとんど効果的に持ち上げて案内する櫛の構成は、カットした毛屑が櫛を詰まらせる可能性もあり、それによりカット効率を減少させてしまうことである。従って、カットした毛屑が櫛を詰まらせてしまう傾向を軽減するヘア・クリッパー用の櫛を提供することが望ましい。
【発明の概要】
【０００５】
第１態様では、ヘア・クリッパー用の櫛が提供され、櫛は：ヘア・クリッパーの切断移動方向において、ヘア・クリッパーの切断要素の前方に配置されるように構成された櫛部分であって、カットされるべき毛を切断要素へ案内する、スロットが間に形成された複数の櫛歯を有する櫛部分を有し、櫛部分は、櫛がヘア・クリッパーに取り付けられた場合に、櫛歯とヘア・クリッパーのハウジングとの間の隙間が、切断要素から距離が遠ざかるにつれて増加し、ハウジングと櫛部分との間に、毛屑が流れ込むことが可能な実質的に楔状の毛屑受け入れ空間を形成するように構成されている。
【０００６】
第１態様による櫛は、毛が刈り取られた後に毛屑を受け入れるために、ハウジングと櫛との間にヘア受け入れ空間を提供する。切断要素から距離が遠ざかるにつれてヘア受け入れ空間のサイズを増やすことは、妨げられない流出経路を毛屑のために提供する。幾つかのケースにおいて、毛屑は、切断要素から遠ざかるにつれて向きを変える可能性があり、そうでない場合は櫛に溜まって詰まらせるようになり得るので、第１態様の櫛は、切断する端部から遠ざかるにつれて、櫛から自由に流れ出るように、増加するスペースを毛のために提供する。
【０００７】
ヘア受け入れ空間の形状はまた、櫛が詰まりがちになった場合に、穏やかに振り払うこと又は軽くたたくこと等により、毛屑の簡易な除去を促進することができ、なぜならヘアは再配置されるようにより多くのスペースを有し、それにより詰まりにくくなるからである。更に、スペースのサイズを増やすことは、毛屑が切断要素付近で密集してしまうことを阻止することができ、そうでなければ除去することは困難であるか又は時間がかかってしまう。
【０００８】
ヘア・クリッパーは、ヘア・トリマー又は髭剃り等の任意のタイプのヘア・トリミング・デバイスであってもよい。櫛は、毛を持ち上げてヘア・クリッパーの切断要素の方へ案内するための案内櫛であってもよい。櫛は、トリミング中にユーザーの皮膚に接触してその上をスライド運動するスキン・ガイド部を有することが可能である。ヘア・クリッパーの切断要素のためにスキン・ガイド部と櫛部分との間にギャップが設けられてもよい。
【０００９】
ヘア・クリッパーの刈り込み方向は、最も効果的に毛をカットするためにヘア・クリッパーが動かされなければならない方向であるとすることが可能である。切断要素は、刃歯（ｂｌａｄｅ  ｔｅｅｔｈ）を有する１つ以上の櫛状刃を有することが可能である。刈り込み方向は、刃歯が指す方向、又は切断のために刃歯ポイント間で毛を動かすためにクリッパーが動かされなければならない方向であってもよい。櫛部分は少なくとも部分的に切断要素の前方にあることを要する。ヘア・クリッパー・ハウジングは、切断要素に隣接して配置される前方ハウジング面を有することが可能であり、それはクリッパーの使用中に概ね刈り込み方向の前方に面している。櫛部分は刈り込み方向において前方ハウジング面の前方に配置されていてもよい。
【００１０】
櫛歯は実質的に同一であってもよい。櫛歯は、櫛部分の幅にわたるそれらの間で接触スペーシング（ａ  ｃｏｎｔａｃｔ  ｓｐａｃｉｎｇ）とともに配置されてもよい。櫛歯は、使用時に切断要素から最も遠い櫛歯の端部において、接続バーに接続されることが可能である。櫛歯は接続バー以外の如何なる場所においてもサポートされていなくてよい。使用時に切断要素に近接している櫛歯の端部は、自由に動かすことができる。櫛部分は、接続バーを支持し且つ櫛部分をスキン・ガイド部又はクリッパーに接続するように配置される１つ以上のフレーム要素を更に有することが可能である。第１及び第２フレーム要素は、櫛及び櫛部分の第１及び第２側に配置されることが可能である。接続バーは、櫛の幅を横切る２つのフレーム要素間に延びることが可能である。櫛歯は２つのフレーム要素の間に配置されることが可能である。
【００１１】
櫛歯とハウジングとの間の間隔は、櫛歯とハウジングとの間の距離であってもよい。その間隔は、刈り込み方向で測定される櫛歯とハウジングとの間の距離であってもよい。間隔は櫛部分の高さに沿って変化し得る。間隔は、前方ハウジング面と櫛歯との間、特に前方ハウジング面と櫛歯の後方エッジとの間で測定されてもよい。フレーム要素とハウジングとの間の間隔は、櫛歯の間隔と実質的に同一であってもなくてもよい。
【００１２】
切断要素から遠ざかる距離は、櫛部分の高さに沿って測定されてもよい。従って、櫛歯とハウジングとの間の間隔は、櫛歯に沿う切断要素からの距離が減少するにつれて減少する。間隔は、切断要素からの所与の距離において（又は櫛部分の所与の高さにおいて）、櫛の幅にわたって一定でなくてもよい。例えば、櫛部分は、上方から眺めた場合に、櫛の幅を横切る刈り込み方向において弓状に進行又は後退しているものとすることが可能であり、あるいは櫛歯及びハウジングの間の隙間角度は、櫛部分の幅にわたって変化していてもよい。しかしながら、櫛部分を横切る所与の任意の幅において、その幅における櫛歯及びハウジング間の間隔は、切断要素からの距離が増加するにつれて増加することが、理解されるであろう。従って、受け入れ空間の形状は櫛の幅にわたって一定又は同一でなくてもよいが、受け入れ空間は、幅にわたって想定される所与の任意の平面内で実質的に楔形状を有することが、理解されるべきである。楔形状の受け入れ空間は、追加的又は代替的に、切断要素に向かう深度方向で間隔が先細りになっているという意味において、テーパーがかかった受け入れ空間として描写されてもよい。
【００１３】
毛屑は、カットされた毛屑又は切断要素によりカットされたばかりの髪片を指してもよい。
【００１４】
櫛部分の高さは、クリッパーが使用中である場合に皮膚の面に実質的に垂直な方向で測定されてもよい。櫛の深さその一部分は，刈り込み方向で測定されてもよい。櫛の幅又はその一部分は、刈り込み方向に沿って眺めた場合に、櫛を横切る方向で測定されてもよい。
【００１５】
第１隙間角度は、櫛歯とヘア・クリッパーのハウジングとの間で形成されてもよく、その結果、櫛歯とハウジングとの間の間隔は、切断要素から距離が遠ざかるにつれて増加する。その間隔は、切断要素から距離が遠ざかるにつれて実質的に線形に増加してもよい。第１隙間角度は約１０ないし３０度、選択的に１０−１５度であってもよく、約１５度であってもよい。第１隙間角度は、櫛部分の幅にわたって変化してもよい。
【００１６】
使用中にヘア・クリッパーのハウジングに直面する櫛歯の後方エッジは、使用中に切断要素に近接する第１後方櫛面と、使用中に切断要素から遠く離れた第２後方櫛面とを規定することが可能である。第１隙間角度は第１後方櫛面とハウジングとの間で形成されることが可能であり、第２隙間角度は第２後方櫛面とハウジングとの間で形成されることが可能である。第１及び第２後方櫛面は実質的に平坦であってもよく、あるいは櫛の幅にわたって湾曲していてもよい。
【００１７】
第２隙間角度は第１隙間角度より大きくてもよい。第２隙間角度は第１隙間角度より小さくてもよい。第２隙間角度は約１０度ないし約５０度、約３０度ないし約５０度であってもよく、約４５度であってもよい。第２隙間角度は櫛部分の幅にわたって変化してもよい。
【００１８】
櫛は、ヘア・クリッパーのカットする長さを調整する可調整櫛であってもよい。第１後方櫛面の長さは、ヘア・クリッパーのカット長範囲に等しい又はそれより大きくてもよい。
【００１９】
櫛は、櫛の長さ調整方向を規定する調整機能部を有することが可能であり、長さ調整方向は第１後方櫛面に実質的に平行であるとすることが可能であり、そのため、使用時における櫛歯と切断要素との間のギャップは切断長範囲内の全ての切断長に関して実質的に一定である。幾つかの具体例において、長さ調整方向は、所定の角度より小さな角度だけ第１後方櫛面に不整合であってもよく、その結果、使用時における櫛歯と切断要素との間のギャップは、切断長範囲内の全ての切断長に関して所定の限界未満のままである。所定の角度は２０度より小さくてもよく、１０度より小さくてもよく、又は５度より小さくてもよい。所定の限界は１０ｍｍ、８ｍｍ、６ｍｍ、４ｍｍ、又は２ｍｍであってもよい。
【００２０】
第２態様ではヘア・クリッパー用の櫛が提供され、櫛は：ヘア・クリッパーの切断運動方向においてヘア・クリッパーの切断要素の前方に配置されるように構成された櫛部分であって、カットされるべき毛を切断要素へ案内する、スロットが間に形成された複数の櫛歯を有する櫛部分を有し、櫛歯のうちの２つ以上は、切断運動方向において個々の櫛歯から遠ざかるように概して前方に延びる拡張部を有し；及び接続バーが２つ以上の櫛歯を個々の拡張部内でともに接続し、そのため、使用時に接続バーは、ヘア・クリッパーのハウジングから、複数の櫛歯より大きな距離だけ隔てられている。
【００２１】
第２態様による櫛は、櫛歯より大きな距離だけハウジングから隔てられる接続バーを提供する。従って、櫛歯の間で規定されるスロットは、それらの長さに沿って実質的に妨げられないであろう。スロットはまた切断要素から遠い端部で開放されていてもよく、そうでない場合、接続バーは従来技術のシステム内に配置されるであろう。従って、カットされた毛屑はスロットに沿って通過し、スロットの端部から外に出ることが可能である。従って櫛の目詰まりが削減され得る。
【００２２】
更に、ハウジングから隔てられる接続バーは、毛屑、特により長い毛屑が、櫛から自由に流れ出るためにより相応しく方向付けられるように接続バーの周りで旋回することを可能にし得る。従って、本件の櫛は、ヘア・カット・デルタ長（即ち、カットする前及び後の残存する毛の長さの差）が大きい場合に、目詰まりを減らすことができ、そのため、ヘア・クリッパーはより長い毛をカットするために使用されることが可能であり、それにより目詰まりの問題なしに、ヘア・カットがより少ない頻度で発生することを可能にする。
【００２３】
拡張部は、櫛歯の本体部分に対してある角度で延びる個々の櫛歯の部分であってもよい。
【００２４】
拡張部は、切断運動方向において、櫛歯の残りの部分と比較して増加した深さを有する櫛歯の部分であってもよい。櫛歯の拡張部は、使用時にヘア・クリッパーの切断要素から遠くにあるように構成されていてもよい。
【００２５】
接続バーは、櫛歯の深度より大きな距離だけ、櫛歯の後方エッジから隔たっていてもよく、そのため、櫛歯の間に形成されるスロットは，使用時に切断要素から遠いスロットの端部で開放される。
【００２６】
第３態様では、本願で説明される第１及び第２態様の双方、及びそれらの任意の選択的な特徴による櫛が提供される。第１及び第２態様が結合される場合、各態様の櫛の目詰まり回避及び関連する利点が、更に増進された目詰まり回避をもたらし、大きなヘア・カット・デルタ長が、少ない目詰まりとともに達成されることが可能になり得る。
【００２７】
第４態様においては、ハウジング及び切断要素を有するヘア・クリッパー；及び上記の任意の態様による櫛を有するヘア・クリッパー装置が提供される。
【００２８】
当業者は、相互に排他的である場合を除いて、上記の態様のうちの任意の１つに関連して説明された特徴は、他の任意の態様に必要な変更を加えて適用されてよいことを、認めるであろう。更に、相互に排他的な場合を除いて、本願で説明された任意の特徴は、任意の態様に適用されてもよく、本願で説明された他の任意の特徴と組み合わせられてもよい。
【図面の簡単な説明】
【００２９】
実施形態は図面に関連して単なる例示によって説明される。
【図１】ヘア・クリッパー及び櫛を有するヘア・クリッパー装置の斜視図である。
【図２】図１の櫛の斜視図である。
【図３】図１のヘア・クリッパー装置の側面図である。
【図４】図１のヘア・クリッパー装置の正面図である。
【図５】図１のヘア・クリッパー装置の平面図である。
【図６】図１のヘア・クリッパー装置のＡ−Ａ線に沿った部分的な側断面図である。
【図６Ａ】拡張された櫛を有する図１のヘア・クリッパー装置の側断面図である。
【図７】代替的な櫛を有するヘア・クリッパー装置の側断面図である。
【図７Ａ】延長位置における更に代替的な櫛を有するヘア・クリッパー装置の側断面図である。
【発明を実施するための形態】
【００３０】
図１−５を参照すると、ヘア・クリッパー１００と櫛２００とを有するヘア・クリッパー装置１０が概略的に示されている。
【００３１】
ヘア・クリッパー１００は、切断要素１０６が配置された刈り込みヘッド１０４と、刈り込みヘッド１０４から概ね離れるように延びるハンドル部１０８とを有する細長いグリップ可能な本体１０２を有する。クリッパー本体１０２は、クリッパー本体１０２の外面を形成するハウジング１０９により概して形成されている。
【００３２】
ハンドル部１０８は、使用中にユーザーが自分の手でクリッパー１００をつかむことが可能な細長いグリップ可能な部分である。ハンドル部１０８は、ゴム加工又はテクスチャ加工された表面１１０で部分的にカバーされ、ユーザーによるクリッパー１００のより良い把持を促し、特にハンドル部１０８が濡れている場合に促す。クリッパー１００の電源をｏｎ／ｏｆｆにするため、及びクリッパー１００のカット長を調整するために、ハンドル部１０８の正面において電源ボタン１１２及びカット長調整スイッチ１１４がそれぞれ設けられている。
【００３３】
刈り込みヘッド１０４はハンドル部１０８の端部に配置され、そのため、ハンドブル１０８がユーザーによって握られた場合に、刈り込みヘッド１０４はユーザーの拳の外に延びる。刈り込みヘッド１０４は、クリッパーの切断要素１０６を有する。図６を参照すると、切断要素は、第１静止刃１１６と第２往復刃１１８とを有する。刃１１６，１１８は切断エッジ１１７を形成するように結合する。各々の刃１１６，１１８は、図４及び図５で最もよく見える複数の刃歯１２０で形成される前方エッジを有する。往復刃１１８は、切断エッジ１１７に平行な方向において静止刃１１６に対して横方向に往復運動させられ、そのため、刃歯１２０の間に位置する毛は、刃歯１２０が次々に通過して動く際に、ハサミのような作用でカットされる。往復刃１１８は、刃１１８に取り付けられる往復運動機構を動かすモーター１２２を利用して動かされてもよい。モーター１２２は、クリッパー１００のハウジング１０９内に含まれる再充電可能なバッテリ１２４により給電されてもよい。モーター１２２は電力スイッチ１１２を利用して選択的にターン・オン及びオフにされることが可能である。
【００３４】
切断エッジ１１７は、刈り込みヘッド１０４の前方エッジを形成し、前方エッジはヘア・クリッパー１００の刈り込み方向ｘを規定する。刃歯１２０の間のギャップに毛が容易に入るように、それらは前方から切断エッジ１１７に近づく必要があり、従って刈り込み方向ｘにおいて前方に動かされる場合に、ヘア・クリッパー１００は最も効果的に毛をカットすることが、理解されるべきである。
【００３５】
刈り込み方向ｘにおいて切断エッジ１１７の後方にある刈り込みヘッド１０４の外面１２６は、皮膚対向面１２６である。使用時において、櫛２００がクリッパー１００に取り付けられていない髭剃りの場合、皮膚対向面１２６はユーザーの皮膚に対して軽く押し当てられ、クリッパーは、ユーザーの皮膚に接触しながら、刈り込み方向にスライドさせられ、その結果、切断エッジ１１７は刈り込み方向ｘでユーザーの皮膚に沿って前方に移動し、それにより遭遇する毛をカットする。
【００３６】
切断要素１０６によって切り落とされる毛の部分は、毛屑又は屑（ｈａｉｒ  ｄｅｂｒｉｓ  ｏｒ  ｄｅｂｒｉｓ）と言及され、クリッパー・ハウジング１０９の前方面１２８に隣接する切断エッジの第１サイドに位置する一方、皮膚に付いて残る毛の部分は刈り込み方向で切断エッジを通過して移動し、皮膚対向面１２６に接触したまま残る。
【００３７】
前方に面するハウジング面１２８はクリッパー・ハウジング１０９の一部分である。前方ハウジング面１２８は、大きな鋭角、約６０度で、皮膚対向面１２６まで延び、切断エッジ１１７で皮膚対向面１２６に概ね合致する。使用時に、前方ハウジング面１２８は、切断エッジ１１７上でユーザーの皮膚から概して遠ざかるように延びる。正面ハウジング面は、クリッパー・ハウジング１０９の幅の大部分にわたって実質的に平坦である。
【００３８】
この例では、複数の窪んだ屑案内シュート（ａ  ｐｌｕｒａｌｉｔｙ  ｏｆ  ｒｅｃｅｓｓｅｄ  ｄｅｂｒｉｓ  ｇｕｉｄｉｎｇ  ｃｈｕｔｅｓ）１３０が、前方面１２８のクリッパー・ハウジング１０９に設けられている。屑シュート１３０は、前方面１２８と同じ高さにあり且つ前方面１２８の一部を形成する複数の窪んでいない細長いリブ１３２の間に形成される。リブ１３２はそれぞれ並列であり、前方面１２８に沿って切断エッジ１１７に垂直に延び、そのため、屑シュート１３０が、リブ１３２の間に形成され、実質的に同じ方向に延びる。屑シュート１３０は毛屑の良好な除去をもたらすことができる。場合によっては、屑シュート１３０及びリブ１３２は設けられなくてもよく、前方面１２８は実質的に連続的であってもよい。図示の例では前方面１２８の不連続性にも関わらず、ハウジング１０９の前方面１２８は、ヘア・クリッパーのハウジング１０９の概して最前面であり、例えば図３又は図６に示されるように概して平坦であることが、理解されるべきである。
【００３９】
装置１０はまた、図２に最も良く図示されているように櫛２００を有する。櫛２００は概してカットされるべき毛を案内して持ち上げ、そのため、切断要素１０６はそれらを最も効果的かつ効率的にカットすることができる。
【００４０】
櫛２００は２つの概してＬ字状のサイド・フレーム要素２０２を有する。フレーム要素２０２は、後方接続バー２０４及び前方接続バー２０６により一緒に接続され且つ離間されている。Ｌ字状フレーム要素２０２の２つのアームは、櫛部分２０８とスキン・ガイド部２１０とを形成する。この例では、フレーム要素２０２は、櫛部分２０８のベースにおいて、スキン・ガイド部２１０が櫛部分２０８のベースに取り付けられるように形成される。他の例では、フレーム要素２０２は、スキン・ガイド部２１０を櫛部分２０８に他の位置で、例えば櫛部分２０８の上方又は中央の位置で接続してもよく、その結果、櫛２００のベースは切断要素１０６の側方の領域で開放空間を提供する。フレーム要素２０２間の距離（及び接続バー２０４，２０６の軸長）は、クリッパー１００の刈り込みヘッド１０４の幅に実質的に等しく、そのため、櫛２００はフレーム要素２０２間の刈り込みヘッド１０４に搭載されることが可能である。
【００４１】
調整レール２０７の形式における調整機能部は、スキン・ガイド部２１０における各々のフレーム要素２０２から延びる。調整レール２０７は、櫛２００をクリッパーに取り付けるために、クリッパー１００の対応するスロットに挿入可能である。クリッパー１００のカット長を調整するために、調整スイッチ１１４は、調整レール２０７をクリッパー１００に対して外側又は内側へ動かすことにより、櫛２００を引き出す又は引っ込めるように動かすことができる。従って、実質的に直線的であり線状である調整レールは、長さ調整が行われる場合に櫛が動く調整方向を決める。
【００４２】
スキン・ガイド部２１０は、クリッパー１００の皮膚対向面１２６に概ね適合し、その結果、櫛２００がクリッパー１００に取り付けられると、スキン・ガイド部は皮膚対向面１２６に重なる。スキン・ガイド部２１０の外面は、櫛２００がクリッパー１００に取り付けられる場合に、使用時に皮膚に接触する皮膚接触面２１２である。従って、皮膚接触面２１２が皮膚に接触する場合、皮膚対向面１２６は、少なくともスキン・ガイド部２１０の深さの分だけ、皮膚接触面２１２から（従って皮膚から）離間される。
【００４３】
後方接続バー２０４は、図６で最も良く見えるように、スキン・ガイド部２１０の後方で形成される。複数の細長いガイド２１４は、刈り込み方向で後方接続バーから前方に延びる。ガイド２１４は、後方接続バー２０４から遠い各自の前方エッジに向かって先細りになっており、そのため、櫛２００がクリッパー１００に取り付けられる場合に、皮膚対向面１２６と皮膚接触面２１２との間の距離ｙは、後方接続バー２０４から離れる刈り込み方向で減少し、あるいは切断要素１０６からの距離が離れるにつれて増加する。
【００４４】
櫛部分２０８は、スキン・ガイド部２１０に概して垂直に、刈り込み方向ｘにおいて切断要素及びハウジング１０９の前方に配置されている。櫛刈り込みゾーン２１５は、概して、Ｌ字状フレーム要素２０２のコーナーの間で櫛部分２０８及びスキン・ガイド部２１０の出会う地点に近接して規定される。使用時において、櫛刈り込みゾーン２１５は、クリッパー１００の切断要素１０６に概して近接して配置される。
【００４５】
前方接続バー２０６は、使用時に切断要素１０６から遠い櫛部分２０８の端部においてフレーム要素２０２の間に延びる。複数の櫛歯２１６は、刈り込みゾーン２１５の方に向かって接続バー２０６から延びる。櫛歯２１６は、等しい厚み（即ち、櫛２００の幅を横切る方向の長さ）を有し、概して接続バー２０４の幅にわたって等しく離間されている。他の例では、歯２１６は均等に隔てられていなくても良い。櫛歯２１６はまた、概して平行な方向に延び、そのため、複数のスロット２１８が、櫛歯２１６各自自身の間で、及び最も外側の櫛歯２１６ａとフレーム要素２０２との間で形成される。
【００４６】
櫛歯２１６及びスロット２１８は櫛部分２０８に沿って刈り込みゾーン２１５及び切断要素１０６から遠ざかるように概して延びる。より一般的には、それらは使用時に皮膚から離れるように及び皮膚に垂直に延びる。
【００４７】
図６を参照して最良に理解されるように、櫛部分２０８内のフレーム要素２０２及び櫛歯２１６の各々は前方エッジ２２０を有し、刈り込み方向ｘにおいて概ね前方に面する前方エッジ２２０と、刈り込み方向において概ね後方に面する後方エッジ２２２とを有する。櫛歯２１６及びフレーム要素２０２の後方エッジ２２２は組み合わせにおいて、概して櫛部分２０８の最・後端面を形成する後方櫛面２２４を規定する。後方櫛面２２４は、連続的な固体表面ではなく、概して後方エッジ２２２により規定され且つ占有される平面であることが、理解されるであろう。後方櫛面は後方エッジ２２２により規定される不連続表面であると言うことも可能である。図６に見受けられるように、後方櫛面２２４は概して平面であるが、湾曲していてもよい。
【００４８】
図６に見受けられるように、櫛歯２１６と、ハウジング、特に前方面１２８との間の隙間は、切断要素１０６からの距離の増加とともに増加し、その結果、実質的に楔状スペース２２６がハウジング１０９と櫛部分２０８との間に形成される。毛が切断された後、毛屑は歯２１６の間に、楔状スペース２２６の中に流れ込む。増加する屑が切断されてスペース２２６に入ると、屑は、櫛部分２０８とハウジング１０９との間の増加したスペースのために、スペース２２６から流出する。
【００４９】
図１−６の例において、後方櫛面２２４と前方ハウジング面１２８とは双方ともに実質的に平坦であり、そのため、櫛２００がクリッパー１００に取り付けられると、隙間角度θが２つの面の間で形成される。この特定の例では、角度θは１５度であってもよい。従って、後方櫛面２２４と前方ハウジング面１２８との間の隙間距離は、切断要素１０６からの距離が増えるにつれて線形に増加する。当然に、他の例では、表面２２４、１２８のうちの一方又は双方が湾曲していてもよいし、又は非平面状であってもよく、それでもスペース２２６は実質的に楔形を形成することができる。
【００５０】
図６Ａに示されるように、櫛２００は、クリッパー１００から調整レール２０７を更に伸ばし、それによりクリッパー装置１０のカット長を伸ばすことによって調整されることが可能である。櫛２００をクリッパーから、より長い距離だけ延長することによって、切断要素１０６と皮膚Ｓとの間の距離は増加し、櫛のスキン・ガイド部２１０が皮膚Ｓに接触する場合に、切断要素に皮膚Ｓがより接近することを防止することが、理解されるであろう。切断要素１０６と皮膚Ｓとの間の距離は、毛がカットされた後の毛のカット長を規定する。
【００５１】
図７に櫛３００の別の例が示されている。櫛２００及び櫛３００間で同様な特徴は１００だけ相違する参照番号で示されている。
【００５２】
この例では、櫛部分３０８は、使用時に切断要素１０６に近接している第１部分３２５と、切断要素１０６から遠い第２部分とを有する。従って、フレーム要素３０２及び櫛歯３１６それぞれは使用時に切断要素に近接している及び遠く離れている対応する第１及び第２部分を有する。
【００５３】
第１部分３２５内の櫛歯３１６及びフレーム要素３０２の後方エッジ２２２は組み合わせで第１後方櫛面３２４を規定し、第１後方櫛面３２４は概して櫛部分の第１部分３２５の最・後端面又は平面を形成する。後方櫛面２２４と同様に、第１後方櫛面３２４は連続的な固体表面ではなく、概して後方エッジ３２２により規定され占有される平面であることが、理解されるであろう。
【００５４】
更に、第２部分３２７内の櫛歯３１６及びフレーム要素３０２の後方エッジ２２２は組み合わせで第２後方櫛面３２８を規定し、第２後方櫛面３２８は概して櫛部分の第２部分３２７の最・後端面又は平面を形成する。後方櫛面２２４及び第１後方櫛面３２４と同様に、第２後方櫛面３２８は連続的な固体表面ではなく、概して後方エッジ３２２により規定され占有される平面であることが、理解されるであろう。
【００５５】
第１及び第２後方櫛面３２４及び３２８はこの例では概して平面であるが、それらは他の例ではそうでなくてもよい第１後方櫛面３２４は第１方向に延び、そのため、第１隙間間隔θ１が、上記の櫛２００に関して説明されたのと同じ方法でハウジング１０９（特に、前方ハウジング面１２８）と第１後方櫛面３２４との間に形成される。しかしながら、櫛３００では、櫛３００の第２部分がハウジングから更に遠ざかるように曲げられ、そのため、第２隙間角度θ２が第２後方櫛面３２８とハウジング１０９（特に、前方ハウジング面１２８）との間に形成される。
【００５６】
従って、第１後方櫛面３２４とハウジング１０９との間に形成される第１楔部３２６ａと、第２後方櫛面３２８とハウジング１０９との間に形成される第２楔部３２６ｂとにより、楔状の毛屑受け入れスペース３２６が形成される。この例では、第１隙間角度θ１は第２隙間角度θ２より小さく、そのため、後方櫛面３２４、３２８とハウジング１０９との間の隙間の増加率は、第１部分３２５よりも第２部分３２７において、より大きい。当然に、他の例では、第１隙間角度θ１が第２隙間角度θ２より大きくてもよい。櫛３００はスペース３２６の毛屑の流出容易性を更に促し、なぜなら、櫛の第２部分における増加した隙間角度θ２のために、櫛部分３０８とハウジング１０９との間の隙間又は距離は、切断要素１０６からの距離が隔たるにつれて実質的に増加するからである。この例では、第１隙間角度θ１は約１５度であってもよく、第２隙間角度θ２は約４５度であってもよい。これらの角度は櫛の目詰まりを回避するのに特に有効であり得る。
【００５７】
図７の切断要素１０６付近の円の部分についての挿入された詳細図に示されるように、櫛後方表面３２４と前方ハウジング面１２８との間にギャップＦが規定される。ギャップＦは、刈られた毛が、櫛部分３０８とハウジング１０９との間に流れることを可能にする。距離Ｈは、切断要素１０６から前方ハウジング面１２８にかけて規定される。距離Ｅは、櫛後方表面３２４から切断要素１０６にかけて規定される。ギャップＦのサイズは距離Ｅ及びＨに関連し、そのため、ＦはＥ＋Ｈに等しいことが理解されるであろう。
【００５８】
調節レール２０７により提供される（櫛３００の）最小引き出し長さにおけるギャップＦの最小サイズは、３．５ｍｍである。従って、距離Ｅ及びＨは、櫛３００の最小引き出し長さにおいて３．５ｍｍという最小値に合計される。櫛３００の最小引き出し長さにおいてギャップＦは３．５ｍｍより大きくなり得ることが認められるであろう。距離Ｅは１．５ｍｍｎという最小サイズを有することが可能であり、距離Ｈは０．５ｍｍという最小サイズを有することが可能であるが、ギャップＦは少なくとも３．５ｍｍであることを保証するために、同じ例においてそれら双方が各自の最小サイズを有し得ないことが、認められるであろう。３．５ｍｍの最小値に合計される距離Ｅ及びＨの多くの組み合わせが存在することが、認められるであろう。
【００５９】
図７Ａには櫛３００’の更に別の配置が示されている。櫛３００及び櫛３００’の間で同様な特徴は、参照番号に’を付して示されている。図示の位置において、櫛３００’は、調整レール２０７により提供される最大引き出し長さにおけるものである。
【００６０】
この例では、第１後方櫛面３２４’が形成され、そのため、その表面は調整レール３０７’により規定される調整方向Ａと並行である。更に、調整方向Ａにおける後方櫛面３２４’の長さは、図７Ａに示されるように最大引き出しにおいてさえ、調整レール３０７’により提供される合計長の調整範囲よりも大きい。
【００６１】
従って、切断要素１０６と後方櫛面３２４’との間に形成されるギャップＧは、必要とされる長さ調整によらず、実質的に一定のサイズを有する。従って、ギャップＧは、ギャップが過剰に大きくなることを回避するために注意深く制御されることが可能であり、それにより、櫛部分３０８’と切断要素１０６との間に、より少ない毛しか落ちないので、切断効率を高めることができる。図示されるように、櫛３００’から毛屑が容易に流出することを促すために、第２後方櫛面３２８とハウジング１０９との間の隙間角度θ２は依然として楔状スペース３２６’を提供する。
【００６２】
ギャップＧのサイズを制御するために、第１後方櫛面３２４’が調整方向Ａに厳密に平行である必要はないことが、理解されるべきである。例えば、表面３２４’と方向Ａとの間の角度偏差が制御され、それにより櫛３００’が延ばされる場合にギャップＧのサイズの増加を制御することが可能である。櫛３００’が完全に延ばされた場合にギャップＧの許容可能な最大サイズを提供するために、角度偏差は所定の最大値に設定されてもよい。
【００６３】
本願で説明される櫛はまた、以下に説明されるような別の有利な態様も提供する。
【００６４】
図５及び図６に最良に見受けられるように、前方接続バー２０６は、櫛部分２０８の残りの部分よりも大きな距離だけ、ハウジング１０９（及び特に前方ハウジング面１２８）から隔てられている。
【００６５】
この増加した隙間を提供するため、櫛歯２１６及びフレーム要素２００は、刈り込み方向ｘにおいて概して前方に延びる拡張部２３０を有する。拡張部２３０は、櫛歯２１６の後方面２２２から前方に距離Ｄだけ延び、距離Ｄは櫛歯の深さＥより大きい。
【００６６】
接続バー２０６は、櫛歯２１６とフレーム要素２０２とをそれら各自の拡張部２３０において、特にハウジング１０９及び切断要素１０６から遠い部分において、ともに接続する。従って、使用時に接続バー２０６は、複数の櫛歯２１６よりも大きな距離だけ、ヘア・クリッパー１００のハウジング１０９から隔てられる。拡張部２３０のために、接続部２０６は、櫛歯２１６の深さＥより大きな距離だけ、櫛歯２１６の後方エッジ２２２から隔てられることもまた理解されるであろう。
【００６７】
櫛部分２０８の平面視である図５に最も良く示されているように、拡張部２３０は、歯の間に形成されるスロット２０８が切断要素１０６から遠い各自の上端部で実質的にオープンである、という利点を提供する。従って、スロット２１８に沿って上方に進行する毛屑は、接続バー２０６によって抑制されることなく、スロットの上端部から容易に流出することができる。
【００６８】
この例では、拡張部２３０は、櫛歯２１６の本体に対して又は櫛部分の後方櫛面２２４に対して、ある角度で延びる個々の櫛歯又はフレーム要素の一部分である。拡張部２３０は、一般に、前方ハウジング部１２８に対して概して垂直に延び、接続バー２０６とハウジング１０９との間で拡張部２３０の長さにわたる隙間を最大化する。
【００６９】
拡張部２３０はまた、櫛歯２１６及びフレーム要素２０２の一部分であって、切断運動方向において櫛部分の残りの部分（即ち、櫛歯２１５及びフレーム要素２０２）の深さＥと比較して増加した深さＤを有する一部分であると考えることも可能である。
【００７０】
櫛部分２０８の残りの部分よりも、ハウジング１０９から増加した深さにおいて、接続バー２０６を配置することはまた、デルタ切断長の場合（即ち、カットの間に長時間かかる等の場合のように、カットの最中に毛の長さの変化が特に大きい場合）、更に利点を提供する。この更なる利点は図６Ａに関連して説明される。この例では、接続バー２０６が、約３０ｍｍという最小距離だけハウジング１０９から隔てられていてもよい。
【００７１】
カットする前に、毛４００はＬ＋Δに等しい長さを有し、Ｌはカット後のカット・ヘアの長さであり、Δはカット前後の毛の長さの変化、あるいは言い換えればカット後の毛屑４０２の長さである。
【００７２】
図６Ａに示されるように、装置１０が刈り込み方向ｘに動かされると、毛４００は、カットされるように切断要素１０６の方へ櫛部分２０８により案内される。ヘア４４０がカットされてカット・ヘア４０４を残す場合に、毛屑４０２はスロット２１８の中で上方に動くであろう。
【００７３】
櫛部分２０８の拡張部２３０は接続バー２０６を配置し、そのため、大きなΔの場合、接続バー２０６はその末端付近で毛屑に接触する。従って、図６Ａに示されるように接続バー２０６の周りで軸回転するように促され、それによりスロット２１８の端部から容易に流出する。当然に、毛屑４０２がハウジング１０９と接続バー２０６との間の距離よりも短い場合、毛屑は接続バー２０６とは相互作用せず、毛屑受け入れ空間２２６の中へ単に流れ込み、あるいはスロット２１８の上方から単に流出する。より長い毛屑４０２は、よりいっそう櫛部分２０８を詰まらせる傾向があり、そこで接続バー２０６は、拡張部２３０のために、目詰まりを抑制するように長い毛屑４０２の軸旋回を促すことができる。
【００７４】
接続バー２０６は、ハウジング及びスペース２２６に直面し、丸みを帯びている又は湾曲している内方軸旋回面２０６ａを有することが可能である。毛屑４０２は概して軸旋回面２０６ａに接触する可能性があり、表面２０６ａの曲率に起因して、曲がった又は平坦な接続バー表面と比較してより効果的に、櫛部分２０８から遠ざかってそこから出るように軸旋回するように促されることが可能である。
【００７５】
従って、本願で説明された櫛２００、３００、３００’は、一般に、全ての長さの毛屑が櫛から流出することを促すことにより、毛屑で目詰まりしてしまうことを抑制又は軽減するように機能する。櫛部分とクリッパーのハウジングとの間に楔状スペースを設ける櫛の配置、及びハウジングからの接続バーの増加したスペースを提供する拡張部は、必要とされるアプリケーションに依存して別々に又は組み合わせで実装されてもよいことが、理解されるべきである。本発明の何れの態様も一般的に目詰まりを減らすように機能し得るが、組み合わせると、特に効果的な目詰まりの防止又は削減をもたらすことができる。
【００７６】
本発明は図面及び上記の説明において詳細に図示及び描写されてきたが、そのような図示及び説明は例示的又は模範的であり、限定ではないように解釈されるべきである；本発明は開示された実施形態に限定されない。
【００７７】
本願で開示及び説明された態様及び実施形態は、先行して出願された欧州特許出願番号ＥＰ１７１７１０５１．０に開示されている特徴と組み合わせられてもよく、その出願の内容は本願に援用される。特に、櫛歯とハウジングとの間の距離又は隙間は、本願で開示される、切断要素から距離が増加するにつれて増える隙間に加えて、櫛又は櫛部分に対する他の寸法又は方向とともに変更されることが可能である。例えば、櫛部分とハウジングとの間の隙間は、櫛の幅にわたって変化することが可能であり、特に櫛部分の端部又は側方に一層近い櫛歯は、櫛部分の中間又は中央に配置される櫛歯よりも大きな程度で、ハウジングから隔てられる。
【００７８】
開示された実施形態の他の変形例は、図面、本開示、及び添付の特許請求の範囲を学ぶことにより、請求項に係る発明を実施する当業者によって理解され把握されることが可能である。特許請求の範囲において、「有する（ｃｏｍｐｒｉｓｉｎｇ）」という言葉は他の要素又はステップを排除しておらず、「ある」（“ａ”ｏｒ“ａｎ”）という不定冠詞的な語は複数を排除していない。所定の複数の事項が相互に異なる従属請求項で引用されているという単なる事実は、これらの事項の組み合わせが有利に使用され得ないことを示してはいない。請求項における如何なる参照符号も範囲を限定するものとして解釈されるべきではない。
【図１】
0006919068.tif 000002
【図２】
0006919068.tif 000003
【図３】
0006919068.tif 000004
【図４】
0006919068.tif 000005
【図５】
0006919068.tif 000006
【図６】
0006919068.tif 000007
【図６Ａ】
0006919068.tif 000008
【図７】
0006919068.tif 000009
【図７Ａ】
0006919068.tif 000010